【事件の表示】
　特許第２９９３５７７号「弾球遊技機」の請求項１ないし２に係る特許に対する特許異議の申立てについて、次のとおり決定する。
【結　論】
　特許第２９９３５７７号の請求項１ないし２に係る特許を維持する。
【理　由】
１．本件発明
　本件特許第２９９３５７７号（平成３年５月１４日出願、平成１１年１０月２２日設定登録。）の請求項１及び請求項２に係る発明は、その特許請求の範囲の請求項１及び請求項２に記載されたとおりの、
　「【請求項１】　遊技者にとって不利な第１状態と遊技者にとって有利な第２状態とに変換可能な変動入賞装置と、
　所定の遊技条件の成立に基づき補助遊技を行うとともに該補助遊技の結果態様に関連して特別権利状態を発生可能な特別権利発生手段と、
　を備え、
　前記特別権利発生手段により発生された特別権利状態の発生中における所定の始動条件の成立に基づき、前記変動入賞装置を前記第２状態に変換可能な弾球遊技機において、
　前記特別権利発生手段は、
　複数の識別情報を可変表示可能な可変表示装置と、
　一般入賞領域、および遊技球の入賞に基づき前記特別権利状態を発生可能な特別入賞領域を有するとともに、遊技者にとって不利な閉状態と遊技者にとって有利な開状態とに変換可能な可動部材を有し、該可動部材の開状態への変換により受け入れた遊技球を前記一般入賞領域あるいは特別入賞領域のいずれかに振り分けることが可能な権利発生装置と、
　前記所定の遊技条件の成立に基づき前記可変表示装置での可変表示を開始させ、該可変表示の停止結果態様が特別表示態様となったことに関連して、前記権利発生装置の可動部材を開状態に変換させ、該開状態への変換によりに受け入れられた遊技球が該権利発生装置の振り分けにより前記特別入賞領域へ入賞したことに基づき前記特別権利状態を発生させる制御を行う制御手段と、
　を含んで構成され、
　前記権利発生装置は、前記可動部材の開状態への変換により受け入れられた所定複数個の遊技球のうち１個の遊技球のみを前記特別入賞領域へ振り分けることが可能な特別入賞規制手段を備え、
　前記制御手段は、前記可変表示装置の可変表示における前記特別表示態様の導出に関して、通常の確率で導出するための通常確率制御と、該通常の確率よりも高い確率で導出するための高確率制御と、を実行可能な確率制御手段を含み、
　前記確率制御手段は、所定の特別権利状態が発生した際に、当該発生した特別権利状態の終了に関連して、前記通常確率制御から前記高確率制御に変更し、該高確率制御の実行による次回の特別権利状態の発生に関連して、該高確率制御から該通常確率制御に変更するようにしたことを特徴とする弾球遊技機。
　【請求項２】　特別入賞規制手段は、遊技球を１個宛保持可能な切欠き状の遊技球保持部を複数形成した回転体を含むとともに、該複数の遊技球保持部のうちの１つを前記特別入賞領域に遊技球を入賞させることが可能な特別保持部として形成し、該特別保持部に保持された遊技球のみを該特別入賞領域に振り分けるように構成したことを特徴とする請求項１記載の弾球遊技機。」
である。
　
２．申立ての理由の概要
　特許異議申立人河井清悦は、証拠方法として下記の甲第１号証ないし甲第５号証を提出し、本件請求項１及び請求項２に係る発明は、甲第１号証の願書に最初に添付した明細書及び図面に記載された発明と同一であり、特許法第２９条の２の規定により特許を受けることができないものであるから、その特許は取り消されるべきである旨主張している。
　　　　　　　　　　　　　　　　　記
　甲第１号証：特願平３−８３２６７号（特開平４−２９５３８６号）の願書に最初に添付した明細書及び図面
　甲第２号証：特開昭６３−２４９５９３号公報
　甲第３号証：特開平１−２７４７８５号公報
　甲第４号証：実願昭６２−３３４１９号（実開昭６３−１４０９７９号）のマイクロフイルム
　甲第５号証：特開昭６１−２２０６７６号公報
　
３．甲各号証の記載事項
　特許異議申立人が提出した甲号証には、以下のことが記載されている。
　甲第１号証
　（ａ）「【請求項１】予め定められた遊技状態となったときに開放される電動入賞装置と、該電動入賞装置の下方に設けられ且つ電動入賞装置に受け入れられた入賞玉を特別装置作動領域を含む複数の通過領域のいずれかに振分誘導する特別入賞装置と、該特別入賞装置に誘導された入賞玉が前記特別装置作動領域を通過したときに作動開始すると共に再度特別装置作動領域を入賞玉が通過したとき又は始動入賞口に所定個数の打球が入賞したときに作動終了する特別装置と、該特別装置の作動中に前記始動入賞口に打球が入賞する毎に所定の態様で開放駆動される変動入賞装置と、を備えたパチンコ機において、
　前記電動入賞装置を、開放後、一定時間が経過するか、又はその一定時間内で前記通過領域の数以上の予め定められた規定数に達したときに閉鎖されるように開放制御する開放制御手段を備えたことを特徴とするパチンコ機。」（特開平４−２９５３８６号公報の特許請求の範囲）、
　（ｂ）「【０００８】図柄表示装置４は、複数（図示の実施例では、３つ）の図柄表示器５ａ〜５ｃ（７セグメントＬＥＤで構成される）とゲート入賞記憶表示器６とを含んで構成されている。図柄表示器５ａ〜５ｃは、前記ゲート通過口７に打球が入賞したことに基づいて変動表示を開始すると共に一定時間（例えば、６秒）が経過すると左側の図柄表示器５ａが停止した後、僅かな時間間隔をおいて中央の図柄表示機５ｂ，右側の図柄表示器５ｃが順次停止制御されるようになっている。また、図柄表示器５ａ〜５ｃに表示される図柄は、例えば、０〜９、Ｆの１１種類の数字及び英字図柄が変動表示されるようになっている。そして、すべての図柄表示器５ａ〜５ｃの停止時の図柄の組み合わせが「３、３、３」又は「７、７、７」の組み合わせであるときに、当りと判断されてゲート通過口７と特別入賞装置１０との間に配置される電動入賞装置８が開放駆動されるようになっている。」（同公報第３欄１４行〜２９行）、
　（ｃ）「【００１０】ところで、前記図柄表示器５ａ〜５ｃの停止時の組み合わせが当り図柄の組み合わせとなったときには、特別入賞装置１０の上方に配置される電動入賞装置８が一定時間（例えば、６秒）開放される。図示の電動入賞装置８は、一対の開閉翼片９ａ，９ｂを有するいわゆるチユーリップ式入賞装置であって、該開閉翼片９ａ，９ｂをチューリップソレノイド３６（図３参照）によって開放駆動されるようになっている。しかして、チューリップソレノイド３６が励磁されて電動入賞装置８が開放されると遊技領域３を落下する打球が受け入れられ易くなり、電動入賞装置８に受け入れられた打球は、すべて特別入賞装置１０に誘導される。なお、電動入賞装置８に打球が規定数（本実施例の場合には、４個）入賞すると、一定時間の経過前であってもチューリップソレノイド３６がＯＦＦとなって閉じるようになっている。このため、電動入賞装置８には、入賞した入賞玉数を計数するためのチューリップ検出スイッチ３４（図３参照）か設けられている。」（同公報第３欄４４行〜第４欄１１行）、
　（ｄ）「【００１１】電動入賞装置８の下方に配置される特別入賞装置１０は、図２に示すように、遊技盤１の表面に取りつけられる取付基板１１を有し、その取付基板１１の表面に臨むように回転体１２か設けられている。この回転体１２は、回転体モータ３８（図３参照）によって一方向に回転されるものであり、その外周部に２種類の形状の異なる凹部１３、１４が複数個形成されている。本実施例の場合には、通常凹部１３が５つ形成され、特別凹部１４か１つ形成されている。また、取付基板１１の前方には、回転体１２を囲むように入賞玉受枠１１ａが突設され、該入賞玉受枠１１ａの最下方に侵入凹部１１ｂが形成されている。しかして、電動入賞装置８から落下した入賞玉は、入賞玉受枠１１ａに受け止められてその最下方に到達し、侵入凹部１１ｂに入ってから回転体１２の凹部１３、１４に受け入れられるようになっている。
【００１２】凹部１３、１４に受け入れられた入賞玉は、回転体１２の回転に伴って移動し、取付基板１１に開設された通過入賞領域１５、特別装置作動領域１６のいずれかに導かれるようになっている。具体的には、通常凹部１３に受け入れられた入賞玉は、通過入賞領域１５に導かれ、特別凹部１４に受け入れられた入賞玉は、特別操作作動領域１６に導かれるようになっている。通過入賞領域１５は、入賞玉が導かれることによって所定個数（例えば、１５個）の景品玉を排出する入賞領域として構成されている。また、特別装置作動領域１６に入賞玉が導かれることによって、前記と同様に所定個数の景品玉を排出すると共に、特別入賞玉検出スイッチ３１（図３参照）をＯＮさせる。特別入賞玉検出スイッチ３１のＯＮ信号は、権利発生状態の発生と消滅とを検出する信号として利用される。」（同公報第４欄１６行〜４６行）、
　（ｅ）「この始動入賞口１８、２１は、前記したように特別装置の作動中において打球が入賞したことに基づいて一方の始動入賞口１８の下方に配置される変動入賞装置２２のアタッカー開閉板２３を開放するものである。」（同公報第５欄１１行〜１４行）、
　（ｆ）「【００１４】上記したように一方の始動入賞口装置１８の下方には、変動入賞装置２２が配置されている。この変動入賞装置２２は、アタッカーソレノイド３７（図３参照）によって開閉駆動されるアタッカー開閉板２３を有し、アタッカー開閉板２３を開放した状態で遊技領域３を落下する打球を受け止めるようになっている。ただし、アタッカー開閉板２３の開放は、権利発生状態か継続されている状態であって前記始動入賞口１８、２１に打球が入賞したことに基づいて実行され、１回の開放が所定個数（例えば、１０個）の入賞玉が発生するまで、又は、一定時間Ｔ４（例えば、９．５秒）が経過するまで継続される。」（同公報第５欄２８行〜３９行）、
　（ｇ）「電源投入後、特別装置がＯＮ（権利発生フラグのセット）したａ点から特別装置がＯＦＦ（権利発生フラグのリセット）したｂ点までが１回目の権利発生状態であり、この時の当り図柄が出現する確率は、１／２２０という低確率で表示制御される。そして、権利発生状態が終了したｂ点（確率増大フラグのセット）から２回目の権利発生状態の開始点であるｃ点（確率増大フラグのリセット）までの間、図柄表示装置４の当り図柄が出現する確率は、１／２２という高確率で表示制御される。・・・・・このように、本実施例では、連続して権利発生状態となり易い遊技状態と連続して権利発生状態となり難い遊技状態とが交互に生起する傾向となる為、遊技に抑揚ができ、遊技者の興趣を引き付けることができる。」（同公報第９欄３行〜２１行）。
　甲第２号証
　パチンコ遊技機において、開閉蓋制御回路５２は大入賞口２の連続開閉動作を行う権利が発生したことを検知するＶ検知器Ｓ４ からの信号を受けると、第２駆動部５３を介して第２ソレノイド２２を励磁し、遊技球がＶ入賞口１３に入賞できないように出入口１５から開閉蓋２０を押し出してＶ入賞口１３を閉状態とする構成（４頁右下欄５行〜１１行）。
　甲第３号証
　弾球遊技機において、特定遊技状態中に入賞玉落下空間６３に誘導された打玉がストッパー６８によって停止貯留される構成（６頁左上欄１９行〜右上欄１行）。
　甲第４号証
　パチンコ機において、パチンコ球２４が連続して特定入賞口３３に入賞した場合は回転体２６の凹部２９が開口２２にくるまで保留される構成（１４頁１２行〜１６行）。
　甲第５号証
　パチンコ機において、権利発生状態においては、上昇した弁部材１６が玉入口１０を閉塞し、パチンコ玉の入賞を阻止する構成（３頁左上欄１行〜１５行）。
　
４．対比・判断
４-1．請求項１に係る発明について
　本件請求項１に係る発明と甲第１号証に記載された発明とを対比すると、後者の「図柄表示装置」が前者の「可変表示装置」に、同様に、「図柄表示装置」が「権利発生装置」に、「特別入賞装置」が「権利発生装置」に、「特別装置作動領域」が「特別入賞領域」に、「通常入賞領域」が「一般入賞領域」に、「開閉翼片」が「可動部材」に、「当たり」が「特別表示態様」に、「権利発生状態の発生」が「特別権利状態の発生」に、それぞれ相当し、また、可変表示装置の当たり確率が、権利発生状態において低確率であり、権利発生状態終了時において高確率である点でも両者に構成の差異はない。
　しかしながら、甲第１号証に記載された発明には、本件請求項１に係る発明の「可動部材の開状態への変換により受け入れられた所定複数個の遊技球のうち１個の遊技球のみを前記特別入賞領域へ振り分けることが可能な特別入賞規制手段」の構成を備えていない。
　すなわち、甲第１号証に記載された発明は、電動入賞装置に打球が入賞してもその入賞球が１個の場合は権利発生状態とならないことが多く、遊技者の興趣を半減させるという問題点を解消するために、通常凹部１３が５つ、特別凹部１５が１つ形成された回転体１２に、４個の打球が入賞すると一対の開閉翼片９ａ，９ｂを閉じるように構成したものであるから、甲第１号証には「所定複数個の遊技球のうち１個の遊技球のみを前記特別入賞領域へ振り分けることが可能」な構成が記載されているとはいえない。
　また、上記構成は甲第２号証ないし甲第５号証にも記載されていないので、本件請求項１に係る発明が甲第１号証に記載された発明と同一とは認められない。
４-2．請求項２に係る発明について
　本件請求項２に係る発明は本件請求項１に係る発明を更に限定した発明であるから、本件請求項１に係る発明について記載した理由により、本件請求項２に係る発明が甲第１号証に記載された発明と同一とは認められない。
　
５．むすび
　以上のとおりであるから、特許異議申立ての理由によっては、本件請求項１及び請求項２についての特許を取り消すことはできない。
　また、他に本件請求項１及び請求項２についての特許を取り消すべき理由を発見しない。
　よって、結論のとおり決定するる。
【異議決定日】
平成１２年１０月３１日（２０００．１０．３１）